(57)【要約】      （修正有）【課題】簡単な構造で、より確実に支柱本体の下端に固定できる電気柵用支柱のキャップを提供する。【解決手段】支柱本体２を備える電気柵用支柱に用いられ、支柱本体２の下端には、支柱本体２の軸方向に沿う中空部７と、中空部７を囲む内周面２ａと、が形成され、中空部７に嵌め込まれる芯部１０を有し、芯部１０が中空部７に嵌め込まれることにより支柱本体２の下端に固定される電気柵用支柱１のキャップ５であって、芯部１０は、軸方向視多角形の形状であり、芯部１０が中空部７に嵌め込まれる際に支柱本体２の内周面２ａに当接する複数の角部１０ａを有する、とした。【選択図】図２
0003231973.tif 000002
【実用新案登録請求の範囲】
【請求項１】
支柱本体を備える電気柵用支柱に用いられ、
前記支柱本体の下端には、前記支柱本体の軸方向に沿う中空部と、前記中空部を囲む内周面と、が形成され、
前記中空部に嵌め込まれる芯部を有し、前記芯部が前記中空部に嵌め込まれることにより前記支柱本体の下端に固定される電気柵用支柱のキャップであって、
前記芯部は、軸方向視多角形の形状であり、前記芯部が前記中空部に嵌め込まれる際に前記支柱本体の内周面に当接する複数の角部を有する、ことを特徴とする電気柵用支柱のキャップ。
【請求項２】
前記芯部は、軸方向視六角形の形状であり、前記芯部が前記中空部に嵌め込まれる際に前記支柱本体の内周面に当接する６つの角部を有する、ことを特徴とする請求項１に記載の電気柵用支柱のキャップ。
【考案の詳細な説明】
【技術分野】
【０００１】
本考案は、電気柵用支柱のキャップに関する。
【背景技術】
【０００２】
従来より、電気柵の支柱本体の下端に固定される電気柵用支柱のキャップが知られている（特許文献１参照）。
電気柵は、農地、レジャー施設等の所定領域への獣類の侵入や、牧場等で飼育される家畜類の逃走を防ぐ手段として用いられるものである。電気柵は、農地、レジャー施設、牧場等の所定領域の周囲に複数立設され、防御線を張り渡すように構成される。電気柵は、防御線に電圧を印加することにより、防御線に触れた獣類を感電させて、農地、レジャー施設等への獣類の侵入を防ぐことができる。あるいは、電気柵は、防御線に触れた家畜を感電させて、牧場等からの家畜の逃走を防ぐことができる。
【０００３】
電気柵用支柱は、支柱本体と、支柱本体の上端に固定されるキャップと、支柱本体の下端に固定されるキャップと、を備える。支柱本体は、管状の部材であり、その軸方向に沿って中空部が形成される。下端のキャップは、中空部に対して僅かに大きい芯部を有し、芯部が弾性変形して中空部に嵌め込まれるように構成される。下端のキャップは、芯部が中空部に嵌め込まれることにより支柱本体の下端に固定される。
【先行技術文献】
【特許文献】
【０００４】
【特許文献１】特開２００８−１２５４４６号公報
【考案の概要】
【考案が解決しようとする課題】
【０００５】
本考案は、簡単な構造で、より確実に支柱本体の下端に固定できる電気柵用支柱のキャップを提供することを目的としている。
【課題を解決するための手段】
【０００６】
第一の考案は、
支柱本体を備える電気柵用支柱に用いられ、
前記支柱本体の下端には、前記支柱本体の軸方向に沿う中空部と、前記中空部を囲む内周面と、が形成され、
前記中空部に嵌め込まれる芯部を有し、前記芯部が前記中空部に嵌め込まれることにより前記支柱本体の下端に固定される電気柵用支柱のキャップであって、
前記芯部は、軸方向視多角形の形状であり、前記芯部が前記中空部に嵌め込まれる際に前記支柱本体の内周面に当接する複数の角部を有する、ものである。
【０００７】
第二の考案は、第一の電気柵用支柱のキャップにおいて、
前記芯部は、軸方向視六角形の形状であり、前記芯部が前記中空部に嵌め込まれる際に前記支柱本体の内周面に当接する６つの角部を有する、ものである。
【考案の効果】
【０００８】
本考案に係る電気柵用支柱のキャップにおいては、芯部は、軸方向視多角形（軸方向視六角形）の形状であり、芯部が中空部に嵌め込まれる際に支柱本体の内周面に当接する複数（６つ）の角部を有する。かかる電気柵用支柱のキャップによれば、角部が支柱本体の内周面に当接することにより、支柱本体の下端に電気柵用支柱のキャップが固定される。従って、簡単な構造で、より確実に支柱本体の下端に固定できる。
【図面の簡単な説明】
【０００９】
【図１】所定領域の周囲に立設された電気柵用支柱を示す正面図。
【図２】支柱本体の下端に固定されたキャップを示す正面一部断面図。
【図３】下端のキャップを示す斜視図。
【図４】下端のキャップを示す平面図。
【考案を実施するための形態】
【００１０】
まず、図１及び図２を用いて、本考案に係る電気柵用支柱１について説明する。
【００１１】
図１に示すように、電気柵用支柱１は、支柱本体２、絶縁支持体（ガイシ）３、上端のキャップ４、下端のキャップ５を備える。複数の電気柵用支柱１・１・・・は、所定間隔を空けて農地、レジャー施設、牧場等の所定領域の周囲に立設される。複数の電気柵用支柱１・１・・・は、各々の支柱本体２に装着される絶縁支持体３を介して防御線６を張り渡し、所定領域の外側に設けられる電源ユニット（図示しない）によって防御線６に電圧が印加される。
【００１２】
支柱本体２及び絶縁支持体３は、例えば、絶縁機能を有する硬化性樹脂により形成されている。これにより、電源ユニット及び防御線６を設けた通電範囲と、支柱本体２及び絶縁支持体３等よりなる非通電範囲と、が完全に絶縁状態となる。複数の電気柵用支柱１・１・・・により区切られるエリアの外側に防御線６を張り渡すことで、当該エリアの内側では直接防御線６に触れない限り感電等することもなく、作業者が安全に農作業等を行うことができる。
【００１３】
図２に示すように支柱本体２には、その軸方向に沿って中空部７と、中空部７を囲む内周面２ａと、が形成されている。支柱本体２は、例えば、軸方向視円形状の中空部７が支柱本体２の上端から下端まで形成され、円筒状になっている。
【００１４】
次に、図３及び図４を用いて、本考案に係る下端のキャップ５（以下、単にキャップ５とよぶ）について説明する。なお、以下の説明において、水平方向とは、軸方向に対して直交する方向である。
【００１５】
図３及び図４に示すように、キャップ５は、外嵌部８、下端部９、芯部１０で一体に構成されている。キャップ５は、支柱本体２及び絶縁支持体３と同様に絶縁機能を有する硬化性樹脂により形成されているが、絶縁性を有する材料を適宜選択して使用することができる。
【００１６】
外嵌部８は、その内径が支柱本体２の外径と略同一である円筒状のものである。外嵌部８は、外周面の上端に面取りが施されている。これにより、電気柵用支柱１を地中から抜き出す際の抵抗を減少させることができる。外嵌部８は、内周面において、周方向の所定間隔に凸部８ａと凹部８ｂが交互に形成されている。
【００１７】
下端部９は、その上端の外径が外嵌部８の下端の外径と同一である略円錐形状のものである。下端部９は、キャップ５の下端に設けられる。下端部９は、外周面の上端に面取りが施され、下端部９の上端の外周面と外嵌部８の下端の外周面が滑らかに接続されている。下端部９は、外周面の下端に面取りが施されており、略円錐形状の頂点部分が丸みを帯びた形状となっている。
【００１８】
芯部１０は、軸方向視多角形の形状であり、芯部１０が中空部７に嵌め込まれる際に支柱本体２の内周面２ａに当接する複数の角部１０ａを有するものである。図４に示すように、芯部１０は、軸方向視六角形の形状であり、６つの角部１０ａを有するものである。
【００１９】
キャップ５に形成されている芯部１０の軸方向多角形の形状としては、軸方向視三角形の形状のもの、軸方向視四角形の形状のもの、軸方向視五角形の形状のもの、軸方向視七角形の形状のもの、軸方向視八角形の形状のものがあり、複数の角部を有する軸方向視多角形の形状のものであればよい。
【００２０】
芯部１０は、外嵌部８内に設けられ上方に突出している。芯部１０の水平方向の最大長さ（向かい合う角部１０ａ間の水平方向の長さ）は、外嵌部８の内径よりも小さく、支柱本体２の内径よりも僅かに大きい。芯部１０は、中空部７に嵌め込まれると弾性変形するため、水平方向の最大長さが小さくなる。このとき、キャップ５は、芯部１０の弾性力により角部１０ａが支柱本体２の内周面２ａを押圧するため、支柱本体２の下端に固定される。
【００２１】
芯部１０は、軸方向視円形状に中空となっており、弾性変形しやすくなっている。これにより、芯部１０を中空部７に嵌め込んで固定することが容易となる。また、芯部１０は、外周面の上端に面取りが施されている。これにより、芯部１０の先端部分を中空部７に挿入することが容易となる。
【００２２】
以上のように、本考案に係る電気柵用支柱１のキャップ５においては、芯部１０は、軸方向視多角形（軸方向視六角形）の形状であり、芯部１０が中空部７に嵌め込まれる際に支柱本体２の内周面２ａに当接する複数（６つ）の角部１０ａを有する。かかる電気柵用支柱１のキャップ５によれば、角部１０ａが支柱本体２の内周面２ａに当接することにより、支柱本体２の下端に電気柵用支柱１のキャップ５が固定される。従って、簡単な構造で、より確実に支柱本体２の下端に固定できる。
【符号の説明】
【００２３】
１        電気柵用支柱
２        支柱本体
２ａ      内周面
５        キャップ
７        中空部
１０      芯部
１０ａ    角部
【図１】
0003231973.tif 000003
【図２】
0003231973.tif 000004
【図３】
0003231973.tif 000005
【図４】
0003231973.tif 000006